(57)【特許請求の範囲】
【請求項１】
押し運び可能なナースカートであって、
患者の検診に用いられる器具を保持可能な器具保持部と、
内蔵バッテリを有する携帯型パソコンを載置可能な載置部と、
前記載置部に載置された携帯型パソコンに対して電力を供給可能な補助電源と、
前記補助電源が保持された電源保持部とを備え、
前記補助電源は、外部電源からの電力により充填可能なバッテリと、前記バッテリと前記携帯型パソコンとを電気的に接続するための補助電源本体とを備え、
前記補助電源本体は、前記バッテリの電圧を予め設定された複数の電圧に変圧可能な変圧部と、前記変圧部により変圧された電圧ごとに設けられるとともに前記携帯型パソコンに接続可能な複数の接続部とを備えている、ナースカート。
【請求項２】
前記バッテリは、前記補助電源本体に対して着脱可能であり、
前記バッテリ及び前記外部電源に対して電気的に接続されることにより、前記バッテリを充填可能な充電器をさらに備えている、請求項１に記載のナースカート。
【請求項３】
前記補助電源本体は、前記バッテリ及び前記外部電源と電気的に接続することにより、前記バッテリを充填可能な充電部を備えている、請求項１に記載のナースカート。
【請求項４】
押し運び可能なナースカートであって、
患者の検診に用いられる器具を保持可能な器具保持部と、
内蔵バッテリを有する携帯型パソコンを載置可能な載置部と、
前記載置部に載置された携帯型パソコンに対して電力を供給可能な補助電源と、
前記補助電源が保持された電源保持部とを備え、
前記器具保持部と、前記載置部と、前記電源保持部とを有するカート本体と、
前記カート本体から使用者が着座可能に展開した展開姿勢と、前記カート本体側に折り畳まれた折り畳み姿勢との間で変位可能となるように、前記カート本体に設けられた椅子とを備え、
前記椅子は、前記カート本体の下部に回動可能に連結された基端部を有する第１脚部と、前記第１脚部の先端部に回動可能に設けられた座部と、前記座部に対して回動可能に連結された基端部と前記展開姿勢で床面に接触する先端部とを有する第２脚部と、前記第１脚部の回動を前記展開姿勢で規制するための規制機構とを備え、
前記規制機構は、前記第１脚部の基端部に設けられた回動板と、前記カート本体に固定されるとともに前記展開姿勢において前記回動板の側端面と面接触する接触面を有する接触部材とを有する、ナースカート。
【請求項５】
請求項１〜４の何れか１項に記載のナースカートと、
押し運び可能で、かつ、前記ナースカートに着脱可能な処置カートとを備え、
前記処置カートは、患者の処置に用いるものを保持可能な複数の処置用保持部を備えている、統合カート。
【請求項６】
前記処置カートは、前記処置カートの前部に設けられた少なくとも１つの処置側前輪と、前記処置カートの後部に設けられた少なくとも１つの処置側後輪と、前記ナースカートの前部に対して前記処置カートの後部をロックするためのロック機構とを備え、
前記ロック機構は、前記少なくとも１つの処置側前輪及び前記少なくとも１つの処置側後輪のうち、前記少なくとも１つの処置側前輪のみが床面に接触するように、前記ナースカートに前記処置カートをロックする、請求項５に記載の統合カート。
【請求項７】
前記ロック機構は、前記ナースカートに対して前記処置カートをロックさせる動作に応じて前記処置カートの後部を浮かせる、請求項６に記載の統合カート。
【請求項８】
前記ナースカートは、前記ナースカートの前部で左右に並ぶ一対のナース側前輪を有し、
前記処置カートは、前記一対のナース側前輪間に挿入可能な間隔で前記処置カートの後部で左右に並ぶ一対の処置側後輪と、前記処置カートの前部で前記ナース側前輪と同等の間隔で左右に並ぶ一対の処置側前輪とを有し、
前記ロック機構は、前記一対の処置側後輪の少なくとも一部が前記一対のナース側前輪間に配置された状態で、前記ナースカートに対して前記処置カートをロックする、請求項６又は７に記載の統合カート。
【請求項９】
前記処置カートは、処置に必要なものを載置可能な載置面を有する処置側天板をさらに有し、
前記処置側天板は、平面視において右側の処置前輪と右側の処置後輪とを結ぶ直線と、左側の処置前輪と左側の処置後輪とを結ぶ直線との間の範囲内に設けられている、請求項８に記載の統合カート。
【発明の詳細な説明】
【技術分野】
【０００１】
本発明は、患者の検診時に看護師により用いられるナースカートに関するものである。
【背景技術】
【０００２】
従来から、患者の検診に用いられる器具（例えば、体温計、血圧計等）を乗せた状態で、看護師により押し運ばれるナースカートが知られている。このナースカートを用いた患者の検診（回診）は、次のように行われる。
【０００３】
看護師は、前記ナースカートを押して対象となる患者のいる病室へ移動する。病室へ移動すると、看護師は、ナースカートに乗せられた器具を用いて患者の検診に関するデータ（例えば、体温、血圧等）を取得する。取得されたデータは、ナースカートに載せられたカルテに記載される。看護師は、対象となる全ての患者の回診が終了すると、ナースステーションに戻り、前記カルテに記載された各患者のデータをナースステーションに設置されたパソコンに入力する。
【０００４】
上述のように、従来のナースカートを用いた検診では、病室においてデータがカルテに記載され、ナースステーションにおいてカルテに記載されたデータがパソコンに入力される。
【０００５】
近年では、前記カルテへの記載作業を省略するために、病室において携帯型パソコンを利用してデータを入力することが行われている。ここで、携帯型パソコンを搭載可能なナースカートとして、例えば、特許文献１のカートが知られている。
【先行技術文献】
【特許文献】
【０００６】
【特許文献１】特開２００５−４６４１２号公報
【発明の概要】
【発明が解決しようとする課題】
【０００７】
しかしながら、前記特許文献１のナースカートを用いた場合、１日の検診時間に対して携帯型パソコンの使用可能な時間を充分に確保することが困難である。
【０００８】
具体的に、特許文献１のナースカートにおいて、携帯型パソコンの使用時間は、当該携帯型パソコンに内蔵されたバッテリの充填量に制限される。そのため、携帯型パソコンに内蔵されたバッテリのみで、携帯型パソコンの使用時間を充分に確保することは難しい。
【０００９】
本発明の目的は、携帯型パソコンの使用時間を充分に確保することができるナースカートを提供することにある。
【課題を解決するための手段】
【００１０】
上記課題を解決するために、本発明は、押し運び可能なナースカートであって、患者の検診に用いられる器具を保持可能な器具保持部と、内蔵バッテリを有する携帯型パソコンを載置可能な載置部と、前記載置部に載置された携帯型パソコンに対して電力を供給可能な補助電源と、前記補助電源が保持された電源保持部とを備え、前記補助電源は、外部電源からの電力により充填可能なバッテリと、前記バッテリと前記携帯型パソコンとを電気的に接続するための補助電源本体とを備え、前記補助電源本体は、前記バッテリの電圧を予め設定された複数の電圧に変圧可能な変圧部と、前記変圧部により変圧された電圧ごとに設けられるとともに前記携帯型パソコンに接続可能な複数の接続部とを備えている、ナースカートを提供する。
【００１１】
本発明では、載置部に載置された携帯型パソコンに対して電力を供給可能な補助電源を備えている。そのため、携帯型パソコンの内蔵バッテリに加えて補助電源の電力を利用することにより、内蔵バッテリからの電力のみを利用する場合と比較して携帯型パソコンの利用時間を延長することができる。
【００１２】
したがって、本発明によれば、携帯型パソコンの使用時間を充分に確保することができる。
【００１３】
さらに、本発明では、駆動電圧の異なる複数機種の携帯型パソコンについて、補助電源を共通に利用することができる。具体的に、携帯型パソコンの駆動電圧は、予め設定された電圧群（例えば、１２Ｖ、１６Ｖ、又は１９Ｖ）のうちの何れかに該当する。ここで、前記態様では、予め設定された電圧ごとに複数の接続部が準備されている。そのため、医療施設ごとに異なる携帯型パソコンが利用されている場合であっても、各携帯型パソコンに共通して補助電源を利用することができる。
【００１４】
前記ナースカートにおいて、前記バッテリは、前記補助電源本体に対して着脱可能であり、前記バッテリ及び前記外部電源に対して電気的に接続されることにより、前記バッテリを充填可能な充電器をさらに備えていることが好ましい。
【００１５】
この態様では、補助電源本体に対してバッテリが着脱可能であり、このバッテリを充電可能な充電器をさらに備えている。そのため、ナースカート（補助電源）とは異なる場所（例えば、ナースステーション）で、充電器を用いてバッテリを充電することができる。したがって、充電器により充電された複数のバッテリを予め準備すれば、稼働中のナースカート（補助電源）のバッテリが切れた場合に、バッテリを交換することにより迅速にナースカートの使用を再開することができる。また、前記態様では、充電器が補助電源とは別に設けられているため、ナースカートに搭載される補助電源を軽量化することができる。
【００１６】
前記ナースカートにおいて、前記補助電源本体は、前記バッテリ及び前記外部電源と電気的に接続することにより、前記バッテリを充填可能な充電部を備えていることが好ましい。
【００１７】
この態様では、補助電源本体が充電部を備えている。そのため、ナースカートを用いた検診中にバッテリが切れた場合、その病室において外部電源と接続することによりバッテリの充電を迅速に開始することができる。
【００１８】
また、本発明は、押し運び可能なナースカートであって、患者の検診に用いられる器具を保持可能な器具保持部と、内蔵バッテリを有する携帯型パソコンを載置可能な載置部と、前記載置部に載置された携帯型パソコンに対して電力を供給可能な補助電源と、前記補助電源が保持された電源保持部とを備え、前記器具保持部と、前記載置部と、前記電源保持部とを有するカート本体と、前記カート本体から使用者が着座可能に展開した展開姿勢と、前記カート本体側に折り畳まれた折り畳み姿勢との間で変位可能となるように、前記カート本体に設けられた椅子とを備え、前記椅子は、前記カート本体の下部に回動可能に連結された基端部を有する第１脚部と、前記第１脚部の先端部に回動可能に設けられた座部と、前記座部に対して回動可能に連結された基端部と前記展開姿勢で床面に接触する先端部とを有する第２脚部と、前記第１脚部の回動を前記展開姿勢で規制するための規制機構とを備え、前記規制機構は、前記第１脚部の基端部に設けられた回動板と、前記カート本体に固定されるとともに前記展開姿勢において前記回動板の側端面と面接触する接触面を有する接触部材とを有する、ナースカートを提供する。
【００１９】
本発明では、載置部に載置された携帯型パソコンに対して電力を供給可能な補助電源を備えている。そのため、携帯型パソコンの内蔵バッテリに加えて補助電源の電力を利用することにより、内蔵バッテリからの電力のみを利用する場合と比較して携帯型パソコンの利用時間を延長することができる。
【００２０】
したがって、本発明によれば、携帯型パソコンの使用時間を充分に確保することができる。
【００２１】
さらに、本発明では、カート本体から展開可能な椅子を備えている。具体的に、座部がカート本体から離間するように第１脚部の先端部をカート本体に対して回動させるとともに、第２脚部の先端部がカート本体から離間するように座部に対して第２脚部の先端部を回動させて当該第２脚部の先端部を床面に接触させることにより、座部が第１脚部（カート本体）及び第２脚部により支持された展開姿勢となる。この展開姿勢において、看護師が座部に腰を掛けることができる。
【００２２】
看護師が座部に腰を掛けた場合、カート本体に対する第１脚部の回動を規制する規制機構には大きな荷重が加えられる。ここで、前記態様では、第１脚部に固定された回動板と、カート本体に固定された接触部材とが面接触することにより、第１脚部の回動が規制される。そのため、回動板が設けられていない第１脚部の側面を他の部材に直接接触させる場合と比較して、回動の規制に寄与する部材同士の接触面積を大きくすることができる。したがって、規制機構の強度を向上することができる。
【００２３】
また、本発明は、前記ナースカートと、押し運び可能で、かつ、前記ナースカートに着脱可能な処置カートとを備え、前記処置カートは、患者の処置に用いるものを保持可能な複数の処置用保持部を備えている、統合カートを提供する。
【００２４】
本発明に係る統合カートは、患者の検診に関する情報だけでなく、患者の処置に関する情報を正確に管理することに寄与する。具体的に、従来からナースカートとは別に処置カートが用いられている。処置カートを用いた患者の処置は、次のように行われる。まず、患者の処置に用いるもの（例えば、注射針、薬剤バッグ、アンプル等）を患者ごとに準備して、これを処置カートに乗せる。看護師は、処置を行う患者のいる病室まで処置カートを押し運んで、患者に必要な処置（注射、薬剤バッグの設置等）を行う。看護師は、この処置の内容に関する情報をメモし、ナースステーションに帰った後にパソコンを用いてこの情報を入力する。
【００２５】
しかし、従来のように、病室において処置の内容に関する情報をメモし、ナースステーションに帰ってからこの情報を入力する場合、ナースステーションに帰るまでの間にメモを紛失する、メモ書きが消える、又はナースステーションにおける入力作業を忘れる等により、処置の内容が正確に管理し得ないおそれがある。
【００２６】
ここで、本発明では、携帯型パソコンが載置されるナースカートと、処置カートとが装着可能である。そのため、本発明に係る統合カートを押し運びながら患者の処置を行うことにより、病室において携帯型パソコンを用いて処置に関する情報を入力することができる。したがって、本発明によれば、患者の検診に関する情報だけでなく、患者の処置に関する情報を正確に管理することができる。
【００２７】
前記統合カートにおいて、前記処置カートは、前記処置カートの前部に設けられた少なくとも１つの処置側前輪と、前記処置カートの後部に設けられた少なくとも１つの処置側後輪と、前記ナースカートの前部に対して前記処置カートの後部をロックするためのロック機構とを備え、前記ロック機構は、前記少なくとも１つの処置側前輪及び前記少なくとも１つの処置側後輪のうち、前記少なくとも１つの処置側前輪のみが床面に接触するように、前記ナースカートに前記処置カートをロックすることが好ましい。
【００２８】
この態様では、処置側後輪及び処置側前輪のうち、処置側前輪のみが床面に接触するように、ナースカートと処置カートとがロックされる。そのため、処置側前輪及び処置側後輪の双方を床面に接触するように両カートをロックする場合と比較して、床面に接触する車輪の数を低減することにより、走行抵抗を小さくすることができる。
【００２９】
しかも、前記態様では、処置側後輪ではなく処置側前輪のみが床面に接触するように処置カートがナースカートの前部にロックされる。これにより、統合カート全体としてみた場合、統合カートは、後部に位置するナースカートの車輪と、前部に位置する前記処置側前輪とによって支持される。そのため、前記態様では、統合カートが前後方向の広範囲にわたり支持されることにより、走行安定性も確保することができる。
【００３０】
前記統合カートにおいて、前記ロック機構は、前記ナースカートに対して前記処置カートをロックさせる動作に応じて前記処置カートの後部を浮かせることが好ましい。
【００３１】
この態様では、処置カートにおける荷重の一部をナースカートに負担させることにより、前記処置側後輪を浮かせて走行抵抗を低減することができる。
【００３２】
前記統合カートにおいて、前記ナースカートは、前記ナースカートの前部で左右に並ぶ一対のナース側前輪を有し、前記処置カートは、前記一対のナース側前輪間に挿入可能な間隔で前記処置カートの後部で左右に並ぶ一対の処置側後輪と、前記処置カートの前部で前記ナース側前輪と同等の間隔で左右に並ぶ一対の処置側前輪とを有し、前記ロック機構は、前記一対の処置側後輪の少なくとも一部が前記一対のナース側前輪間に配置された状態で、前記ナースカートに対して前記処置カートをロックすることが好ましい。
【００３３】
この態様では、各処置側後輪の少なくとも一部が各ナース側前輪間に配置された状態でナースカートと処置カートとがロックされる。これにより、側面視において処置カートの後部とナースカートの前部とを重ねることができるため、ナースカートの前端部と処置カートの後端部とをそのまま連結する場合と比較して統合カートの前後長を短く抑えることができる。
【００３４】
さらに、前記態様では、一対のナース側前輪と一対の処置側前輪とが同等の間隔で設けられている。そのため、上述のように各処置側後輪を各ナース側前輪間に挿入しつつ、各ナース側前輪及び各処置側前輪により同じ左右範囲にわたり統合カートを支持することにより、統合カートの左右方向の走行安定性を確保することができる。
【００３５】
前記統合カートにおいて、前記処置カートは、処置に必要なものを載置可能な載置面を有する処置側天板をさらに有し、前記処置側天板は、平面視において右側の処置前輪と右側の処置後輪とを結ぶ直線と、左側の処置前輪と左側の処置後輪とを結ぶ直線との間の範囲内に設けられていることが好ましい。
【００３６】
この態様では、処置側天板が平面視において右側の処置側前輪と右側の処置側後輪とを結ぶ直線と、左側の処置側前輪と左側の処置側後輪とを結ぶ直線との間の範囲内に設けられている。そのため、処置側天板の左右の縁部に下向きの荷重が与えられた場合であっても、各処置側前輪又は各処置側後輪を支点とする統合カートの傾動を抑制することができる。
【発明の効果】
【００３７】
本発明によれば、携帯型パソコンの使用時間を充分に確保することができる。
【図面の簡単な説明】
【００３８】
【図１】本発明に係る統合カートを示す右側面図である。
【図２】図１のナースカートを拡大して示す右側面図である。
【図３】図２のナースカートの背面図である。
【図４】図２のナースカートの平面図である。
【図５】図２のナースカートの連結部を拡大して示す右側面断面図であり、折り畳み姿勢を示すものである。
【図６】図２のナースカートの連結部を拡大して示す右側面断面図であり、展開姿勢を示すものである。
【図７】図１の処置カートを拡大して示す右側面図である。
【図８】図７の処置カートの背面図である。
【図９】図７の処置カートの平面図である。
【図１０】図７の処置カートのロック機構を示す斜視図であり、非ロック状態を示すものである。
【図１１】図７の処置カートのロック機構を示す斜視図であり、ロック状態を示すものである。
【図１２】図８のロック状態における処置カートの状態を示す側面図である。
【図１３】図１の補助電源保持部に設けられた補助電源の電気的構成を示すブロック図である。
【発明を実施するための形態】
【００３９】
以下、本発明の好ましい実施形態について図面を参照して説明する。
【００４０】
図１を参照して、統合カート１は、ナースカート２と、このナースカート２の一端に連結された処置カート３と、前記ナースカート２に保持されたバッテリ３３（図１３参照）を充電するための充電器３２（図１３参照）とを備えている。なお、ナースカート２に対して処置カート３が連結される側を前方としたときの前後方向、及び前方を向いたときの左右方向を用いて以下説明する。
【００４１】
ナースカート２は、患者の検診に用いられる機器（例えば、体温計、血圧計等）を乗せた状態で、看護師により押し運び可能である。また、ナースカート２は、携帯型パソコンＰＣを載置した状態で押し運び可能である。具体的に、ナースカート２は、押し運び可能なカート本体４と、このカート本体４に設けられた椅子５とを備えている。
【００４２】
図１〜図４を参照して、カート本体４は、カート本体４の後部で左右に並ぶ一対のナース側後輪６ａ、６ｂと、ナース側後輪６ａ、６ｂを保持する後輪保持フレーム６と、カート本体４の前部で左右に並ぶ一対のナース側前輪７ａ、７ｂと、ナース側前輪７ａ、７ｂを保持する前輪保持フレーム７と、後輪保持フレーム６と前輪保持フレーム７とを連結するベースフレーム８と、ベースフレーム８上に設けられた支柱９及び補助フレーム１０と、前記支柱９と補助フレーム１０との間に設けられた２つのトレイ（器具保持部）１１と、各トレイ１１の右側に取り付けられた２つのバスケット１２と、前記支柱９上に設けられたナース側天板１４と、このナース側天板１４に保持された補助電源１５（図１３参照）とを備えている。
【００４３】
後輪保持フレーム６は、左右方向に延びる棒状の部材である。後輪保持フレーム６の両端部には、それぞれ下向きにナース側後輪６ａ、６ｂが設けられている。
【００４４】
前輪保持フレーム７は、左右方向に延びる棒状の部材である。前輪保持フレーム７の両端部には、それぞれ下向きにナース側前輪７ａ、７ｂが設けられている。ナース側前輪７ａは、前記ナース側後輪６ａの前に配置されている。ナース側前輪７ｂは、前記ナース側後輪６ｂの前に配置されている。したがって、図４に示すように、ナース側前輪７ａ、７ｂの内側面間の間隔Ｄ１は、ナース側後輪６ａ、６ｂの内側面間の間隔と同一である。
【００４５】
ベースフレーム８は、後輪保持フレーム６の途中部と前輪保持フレーム７の途中部とを前後方向に連結する。
【００４６】
支柱９は、前記ベースフレーム８の後部で当該ベースフレーム８上に立設された筒状の部材である。
【００４７】
補助フレーム１０は、前記各トレイ１１及びバスケット１２を取り付けるためのものである。具体的に、補助フレーム１０は、前記ベースフレーム８の前部で当該ベースフレーム８上に立設された立設部１０ａと、この立設部１０ａの上部から後方に湾曲して前記支柱９に連結された湾曲部１０ｂと、前記立設部１０ａと前記支柱９との間に跨って固定された２つのトレイ保持部１０ｃとを備えている。これらトレイ保持部１０ｃ上には、それぞれトレイ１１が載置されている。また、トレイ保持部１０ｃの右側面には、それぞれバスケット１２が取り付けられている。
【００４８】
ナース側天板１４は、天板本体１４ａと、この天板本体１４ａの後部下側に設けられた補助テーブル１４ｂと、前記天板本体１４ａの後部下面から下に延びる支軸１４ｃと、天板本体１４ａから後方に突出する把持部１４ｄと、天板本体１４ａの前部下側に設けられた電源収納部（電源保持部）１４ｅとを備えている。天板本体１４ａは、携帯型パソコンＰＣを載置可能な広さの天面を有する。また、天板本体１４ａは、図４に示すように、平面視においてナース側後輪６ａ、６ｂ及びナース側前輪７ａ、７ｂを結ぶ四角形の内側の範囲に収まる大きさを有する。そのため、天板本体１４ａの縁部に下向きの荷重が与えられた場合であっても、各車輪６ａ、６ｂ、７ａ、７ｂを支点とするカート本体４の傾動が抑制される。補助テーブル１４ｂは、天板本体１４ａの天面だけではスペースが足りない場合に、載置のためのスペースを追加するためのものである。具体的に、補助テーブル１４ｂは、図４に示すように天板本体１４ａから右側に突出した状態と、天板本体１４ａの下に隠れた状態（図示せず）との間で天板本体１４ａに対して左右方向にスライド可能である。支軸１４ｃは、天板本体１４ａの高さが調整可能となるように、天板本体１４ａを下から支持する。具体的に、支軸１４ｃの先端部（下端部）は、前記支柱９の内側にスライド可能に挿入されている。したがって、支軸１４ｃの支柱９に対する挿入深さを変更することにより、天板本体１４ａの高さを調整することができる。把持部１４ｄは、天板本体１４ａから後ろに延びるＴ字ハンドルである。看護師は、把持部１４ｄを握って統合カート１又はナースカート２を押し運ぶことができる。電源収納部１４ｅは、後述する補助電源１５を収納可能な箱状の部材である。
【００４９】
以下、図１３を参照して補助電源１５の電気的構成について説明する。
【００５０】
補助電源１５は、外部電源Ｅからの電力により充電可能なバッテリ３３と、このバッテリ３３に対して着脱可能な補助電源本体３４とを備えている。
【００５１】
バッテリ３３は、リチウムイオン電池からなるセル３３ａと、このセル３３ａの過充電が生じた際に電気回路を遮断することによりセル３３ａを保護する保護回路３３ｂと、補助電源本体３４と電気的に接続するためのインタフェース（以下、Ｉ／Ｆと称す）３３ｃとを備えている。本実施形態において、セル３３ａの容量は、９０Ｗの電力を供給することにより携帯型パソコンＰＣを８時間駆動させることが可能な容量に設定されている。
【００５２】
補助電源本体３４は、バッテリ３３及び携帯型パソコンＰＣに電気的に接続可能である。具体的に、補助電源本体３４は、前記バッテリ３３のＩ／Ｆ３３ｃと接続可能なＩ／Ｆ３４ａと、前記バッテリ３３の過放電を防止するための放電制御部３４ｂと、バッテリ３３の電圧を１２Ｖ、１６Ｖ及び１９Ｖに変圧可能な変圧部３４ｃと、変圧後の電圧を印加するように前記携帯型パソコンＰＣに接続可能な１２Ｖ接続部３４ｄ、１６Ｖ接続部３４ｅ、及び１９Ｖ接続部３４ｆと、バッテリ３３の残量等を表示するための表示部３４ｈと、表示部３４ｈを制御する表示制御部３４ｇと、前記バッテリ３３を冷却するためのファン３４ｊと、ファン３４ｊの駆動を制御するファン制御部３４ｉとを備えている。携帯型パソコンＰＣは、前記１２Ｖ接続部３４ｄ、１６Ｖ接続部３４ｅ及び１９Ｖ接続部３４ｆのうち、当該携帯型パソコンＰＣの駆動電圧に対応する接続部に対して接続される。これにより、セル３３ａからの電力を携帯型パソコンＰＣの駆動電力として用いることができる。なお、各接続部３４ｄ〜３４ｆには、対応する駆動電圧以外の駆動電圧に設定された携帯型パソコンＰＣには接続できないようにすることが好ましい。例えば、携帯型パソコンＰＣに形成される雌プラグは、メーカーごと、又は駆動電圧ごとに異なる形状を有する。そのため、携帯型パソコンＰＣのプラグに接続される接続部３４ｆ〜３４ｆは、対応する携帯型パソコンＰＣのプラグにのみに接続可能な形状とすることができる。なお、本実施形態では、１２Ｖ、１６Ｖ、及び１９Ｖ用の３つの接続部を設けているが、接続部の数は３つに限定されない。具体的に、上記３種以外の駆動電圧に設定された携帯型パソコンが存在する場合には、これに接続可能な接続部を形成する必要がある。
【００５３】
なお、本実施形態では、補助電源１５とは別にバッテリ３３を充電するための充電器３２を有する。
【００５４】
具体的に、充電器３２は、前記バッテリ３３のＩ／Ｆ３３ｃに接続可能なＩ／Ｆ３２ａと、前記セル３３ａの過充電を防止するための充電制御部３２ｂと、この充電制御部３２ｂと外部電源Ｅとを接続するための電源接続部３２ｃとを備えている。補助電源本体３４から取り外されたバッテリ３３を充電器３２に接続するとともに、この充電器３２を外部電源Ｅに接続することにより、バッテリ３３（セル３３ａ）を充電することができる。したがって、充電器３２により充電された複数のバッテリ３３を準備しておけば、現在使用しているバッテリ３３が切れた場合であっても、別のバッテリ３３と交換することにより迅速に携帯型パソコンＰＣの使用を再開することができる。
【００５５】
なお、本実施形態では、補助電源とは別に充電器を備えた例について説明したが、これに限定されない。具体的に、補助電源１５が、充電器（充電部）３２と、バッテリ３３と、補助電源本体３４とを一体に有していてもよい。この場合、保護回路３３ｂと、放電制御部３４ｂと、充電制御部３２ｂとを１枚の保護基板上に形成することもできる。このようにすれば、現在使用しているバッテリ３３が切れた場合であっても、補助電源と外部電源とを接続することにより、バッテリ３３の充電を行うことができるとともに、携帯型パソコンＰＣの使用を継続することができる。
【００５６】
以下、図１〜図４を参照して、ナースカート２の椅子５について説明する。
【００５７】
椅子５は、前記カート本体４から使用者が着座可能に展開した展開姿勢と、カート本体４側に折り畳まれた折り畳み姿勢との間で変位可能となるように、カート本体４に取り付けられている。具体的に、椅子５は、前記カート本体４に固定された連結部１６と、この連結部１６に対して回動可能に支持された基端部を有する第１脚部１７と、この第１脚部１７の先端部に回動可能に取り付けられた座部１８と、この座部１８に対して回動可能に支持された基端部と前記展開姿勢において床面に接触する先端部とを有する第２脚部１９とを備えている。
【００５８】
図３、図５及び図６を参照して、第１脚部１７は、金属パイプからなる脚部本体１７ａと、この脚部本体１７ａの基端部に固定された回動板１７ｂとを備えている。脚部本体１７ａの基端部は、左右方向に沿って屈曲され、カート本体４に対して左右方向に沿った軸回りに回動可能に支持されている。具体的に、脚部本体１７ａは、図５に示すように起立した姿勢（折り畳み姿勢）と、図６に示すように後方に傾斜した姿勢（展開姿勢）との間で回動可能である。一方、脚部本体１７ａの先端部は、左右方向に沿って屈曲され、前記座部１８に対して左右方向に沿った軸回りに回動可能に支持されている。
【００５９】
連結部１６は、前記脚部本体１７ａの基端部を回動可能に支持するとともに、前記展開姿勢において第１脚部１７の回動を規制する。具体的に、連結部１６は、脚部本体１７ａの基端部を回動可能に支持する一対の側板１６ａ（１枚のみ図示する）と、各側板１６ａの上に設けられた上板（接触部材）１６ｂと、前記側板１６ａと前記回動板１７ｂとの間に掛け渡された圧縮ばね１６ｃとを備えている。各側板１６ａは、回動板１７ｂの左右両側に配置された状態で、脚部本体１７ａの基端部によって左右方向に貫かれている。前記上板１６ｂは、展開姿勢とされた回動板１７ｂの側端面と当接することにより、当該回動板１７ｂがさらに回動するのを規制する。つまり、本実施形態では、上板１６ｂの下面が回動板１７ｂの側端面と面接触する接触面を構成する。圧縮ばね１６ｃは、脚部本体１７ａが折り畳み姿勢に向かう方向に回動板１７ｂを付勢する。つまり、折り畳み姿勢から展開姿勢に向けた脚部本体１７ａの回動は、圧縮ばね１６ｃの付勢力に抗しながら行われる。したがって、圧縮ばね１６ｃは、第１脚部１７が展開姿勢に到達する際の衝撃吸収部材としても機能する。
【００６０】
以下、図７〜図９を参照して、処置カート３について説明する。
【００６１】
処置カート３は、患者の処置に用いるもの（例えば、注射針、薬剤バッグ、アンプル等）を乗せて、処置を行う患者のいる病室まで押し運ばれるものである。具体的に、処置カート３は、処置カート３の後部で左右に並ぶ一対の処置側後輪２０ａ、２０ｂと、処置側後輪２０ａ、２０ｂを保持する後輪保持フレーム２０と、処置カート３の前部で左右に並ぶ一対の処置側前輪２１ａ、２１ｂと、処置側前輪２１ａ、２１ｂを保持する前輪保持フレーム２１と、後輪保持フレーム２０と前輪保持フレーム２１とを連結するベースフレーム２２と、後輪保持フレーム２０上に設けられた支柱２３と、前輪保持フレーム２１上に設けられた補助フレーム２９と、支柱２３と補助フレーム２９との間に設けられた６つの処置用トレイ３０と、前記支柱２３上に設けられた処置側天板３１とを備えている。
【００６２】
後輪保持フレーム２０は、左右方向に延びる棒状の部材である。後輪保持フレーム２０の両端部には、それぞれ下向きに処置側後輪２０ａ、２０ｂが設けられている。図８に示すように、各処置側後輪２０ａ、２０ｂの外側面間の距離Ｄ２は、上述したナース側前輪７ａ、７ｂの内側面間の間隔Ｄ１（図４参照）よりも小さく設定されている。したがって、図１に示すように、ナース側前輪７ａ、７ｂの間に各処理後輪２０ａ、２０ｂを挿入することができる。
【００６３】
再び図７〜図９を参照して、前輪保持フレーム２１は、左右方向に延びる棒状の部材である。前輪保持フレームの両端部には、それぞれ下向きに処置側前輪２１ａ、２１ｂが設けられている。図８に示すように、各処置側前輪２１ａ、２１ｂの内側面間の間隔Ｄ１は、上述したナース側前輪７ａ、７ｂの内側面間の間隔Ｄ１及びナース側後輪６ａ、６ｂの内側面間の間隔Ｄ１と同等である。
【００６４】
ベースフレーム２２は、後輪保持フレーム２０の途中部と前輪保持フレーム２１の途中部とを前後方向に連結する。
【００６５】
支柱２３は、前記後輪保持フレーム２０上に立設された支柱本体２３ａ（図１０参照）と、この支柱本体２３ａに取り付けられたロック機構２３ｂと、前記支柱本体２３ａ及びロック機構２３ｂを覆うカバー２３ｄと、前記カバー２３ｄの上部から後方に突出する把持部２３ｃとを備えている。
【００６６】
ロック機構２３ｂは、図１に示すように、処置カート３をナースカート２の前部にロックする。具体的に、ロック機構２３ｂは、図１０及び図１１に示すように、支柱本体２３ａ上部の右側面に取り付けられた回転部材２４と、この回転部材２４と支柱本体２３ａとの間に設けられたばね２５と、支柱本体２３ａ下部の右側面に設けられたアーム２６と、前記回転部材２４とアーム２６との間に設けられたリンク２７と、前記回転部材２４を回転させるためのレバー２８とを備えている。
【００６７】
回転部材２４の基端部は、前記支柱本体２３ａに対して前後方向の軸Ｊ１回りに回転可能に軸支されている。
【００６８】
ばね２５は、回転部材２４の先端部を支柱本体２３ａ側（左側）に引き付ける方向に回転部材２４を付勢する。具体的に、ばね２５の基端部は、支柱本体２３ａに対して前後方向の軸Ｊ２回りに回転可能に軸支されているとともに、ばね２５の先端部は、回転部材２４に対して前後方向の軸Ｊ３回りに回転可能に軸支されている。軸Ｊ３は、前記軸Ｊ１よりも回転部材２４の先端に設けられている。したがって、軸Ｊ１と軸Ｊ２とを結ぶ直線よりも軸Ｊ３が上に位置すると、ばね２５の付勢力は、回転部材２４が上向きに回動する方向に作用する結果、回転部材２４は、図１０に示す位置まで回転する。一方、軸Ｊ１と軸Ｊ２とを結ぶ直線よりも軸Ｊ３が下に位置すると、ばね２５の付勢力は、回転部材２４が下向きに回動する方向に作用する結果、回転部材２４は、図１１に示す位置まで回転する。
【００６９】
アーム２６は、前記ナースカート２の前輪保持フレーム７に係止するための係止部が先端に形成された鉤状の部材である。具体的に、アーム２６の基端部は、支柱本体２３ａに対して左右方向の軸Ｊ４回りに回転可能に軸支されている。より具体的に、アーム２６は、前輪保持フレーム７の係止を解除した図１０に示すアンロック姿勢と、前輪保持フレーム７を係止した図１１に示すロック姿勢との間で回動可能である。
【００７０】
リンク２７は、回転部材２４とアーム２６とを連動させる。具体的に、リンク２７の上端部は、前記回転部材２４に対して左右方向の軸Ｊ５回りに回転可能に軸支されている。一方、リンク２７の下端部は、前記アーム２６に対して左右方向の軸Ｊ６回りに回転可能に軸支されている。軸Ｊ５は、前記軸Ｊ３よりも回転部材２４の先端側に位置する。軸Ｊ６は、前記軸Ｊ４よりもアーム２６の先端側に位置する。したがって、ばね２５により回転部材２４が図１０に示す回転位置に付勢されると、アーム２６は、上方に回転して前記アンロック姿勢となる。一方、ばね２５により回転部材２４が図１１に示す回転位置に付勢されると、アーム２６は、下方に回転して前記ロック姿勢となる。
【００７１】
ここで、前記アーム２６のロック姿勢は、次のように設定されている。具体的に、ロック姿勢にあるアーム２６の下面は、ナースカート２の前輪保持フレーム７の上面よりも下に位置する。そのため、ばね２５の付勢力によりアーム２６がロック姿勢に回動すると、処置カート３は、前輪保持フレーム７からの反力を受ける。これにより、図１２に示すように、処置カート３の後部（処置側後輪２０ａ、２０ｂ）は、床面から浮き上がる。つまり、ナースカート２と処置カート３とがロックされた状態では、ナースカート２の４つの車輪６ａ、６ｂ、７ａ、７ｂと処置カート３の２つの車輪２１ａ、２１ｂとを合計した６つの車輪が床面に接触する。
【００７２】
図１０及び図１１を参照して、レバー２８は、使用者からの操作を受けることにより前記回転部材２４を回転させる。具体的に、レバー２８は、前記軸Ｊ１回りに回転可能となるように、前記回転部材２４に連結されている。また、レバー２８は、前記カバー２３ｄの外側（後側）に設けられている。
【００７３】
図７〜図９を参照して、補助フレーム２９は、各処置用トレイ３０を取り付けるためのものである。具体的に、補助フレーム２９は、前記前輪保持フレーム２１上に立設された立設部２９ａと、この立設部２９ａの上部から後方に湾曲して前記支柱２３に連結された湾曲部２９ｂと、立設部２９ａと支柱２３との間に跨って固定された図略のトレイ保持部とを備えている。これらトレイ保持部によって、前記各処置用トレイ３０が着脱可能に取り付けられている。
【００７４】
処置側天板３１は、患者の処置に用いられるものを載置するためのものである。また、処置側天板３１は、平面視において、処置側後輪２０ａと処置側前輪２１ａとを結ぶ直線と、処置側後輪２０ｂと処置側前輪２１ｂとを結ぶ直線との間の範囲内に設けられている。具体的に、処置側天板３１は、図８及び図９に示すように、各後輪２０ａ、２０ｂの間の間隔Ｄ５よりも小さな上底Ｄ３と、各前輪２１ａ、２１ｂの間の間隔Ｄ６よりも小さな下底Ｄ４とを有する等脚台形の平面形状を有する。したがって、処置カート３を単独で使用している条件下において処置側天板３１の縁部に下向きの荷重が与えられた場合であっても、各車輪２０ａ、２０ｂ、２１ａ、２１ｂを支点とする処置カート３の傾動を抑制することができる。また、処置側天板３１の天面は、図７に示すように、ナースカート２に連結されていない状態で前が後ろより高くなるように角度θだけ傾斜している。この角度θは、図９に示すように前記ロック機構２３ｂにより処置カート３の後部が床面から浮いた状態で水平になるように設定されている。
【００７５】
以下、処置カート３をナースカート２に連結する手順を説明する。
【００７６】
まず、処置カート３の処置側後輪２０ａ、２０ｂがナースカート２のナース側前輪７ａ、７ｂの間に配置されるように、ナースカート２の前に処置カート３を配置する。この状態で、処置カート３のレバー２８を回転操作することにより、アーム２６は、図１０に示すアンロック姿勢から図１１に示すロック姿勢に回動する。これにより、アーム２６と前輪保持フレーム７とが係止して、処置カート３がナースカート２にロックされる。また、アーム２６は、前輪保持フレーム７と係止する際に、当該前輪保持フレーム７から反力を受ける。この反力により、処置カート３の後部（処置側後輪２０ａ、２０ｂ）は、床面から浮き上がる。つまり、処置カート３とナースカート２とが連結された統合カート１においては、６つの車輪６ａ、６ｂ、７ａ、７ｂ、２１ａ、２１ｂが床面に接触する。
【００７７】
以上説明したように、前記実施形態では、ナース側天板１４上に載置された携帯型パソコンＰＣに対して電力を供給可能な補助電源１５を備えている。そのため、携帯型パソコンＰＣの内蔵バッテリに加えて補助電源１５の電力を利用することにより、内蔵バッテリからの電力のみを利用する場合と比較して携帯型パソコンＰＣの利用時間を延長することができる。
【００７８】
したがって、前記実施形態によれば、携帯型パソコンＰＣの使用時間を充分に確保することができる。
【００７９】
前記実施形態では、駆動電圧の異なる複数機種の携帯型パソコンＰＣについて、補助電源１５を共通に利用することができる。具体的に、携帯型パソコンＰＣの駆動電圧は、予め設定された電圧群（例えば、１２Ｖ、１６Ｖ、又は１９Ｖ）のうちの何れかに該当する。そして、前記実施形態では、予め設定された電圧ごとに複数の接続部３４ｄ〜３４ｆが準備されている。そのため、医療姿勢ごとに異なる携帯型パソコンＰＣが利用されている場合であっても、各携帯型パソコンＰＣに共通して補助電源１５を利用することができる。
【００８０】
前記実施形態では、補助電源本体３４に対してバッテリ３３が着脱可能であり、このバッテリ３３を充電可能な充電器３２をさらに備えている。そのため、ナースカート２（補助電源１５）とは異なる場所（例えば、ナースステーション）で、充電器３２を用いてバッテリ３３を充電することができる。したがって、充電器３２により充電された複数のバッテリ３３を予め準備すれば、稼働中のナースカート２（補助電源１５）のバッテリ３３が切れた場合に、バッテリ３３を交換することにより迅速にナースカート２の使用を再開することができる。
【００８１】
前記実施形態では、カート本体４から展開可能な椅子５を備えている。具体的に、座部１８がカート本体４から離間するように第１脚部１７の先端部をカート本体４に対して回動させるとともに、第２脚部１９の先端部がカート本体４から離間するように座部１８に対して第２脚部１９を回動させて当該第２脚部１９の先端部を床面に接触させることにより、座部１８が第１脚部１７及び第２脚部１９により支持された展開姿勢となる。この展開姿勢において、看護師が座部１８に腰を掛けることができる。
【００８２】
看護師が座部１８に腰を掛けた場合、カート本体４に対する第１脚部１７の回動を規制する規制機構（回動板１７ｂ及び上板１６ｂ）には大きな荷重が加えられる。ここで、前記実施形態では、第１脚部１７に固定された回動板１７ｂと、カート本体４に固定された上板１６ｂとが面接触することにより、第１脚部１７の回動が規制される。そのため、脚部本体１７ａの側面を他の部材に直接接触させる場合と比較して、回動の規制に寄与する部材同士の接触面積を大きくすることができる。したがって、規制機構の強度を向上することができる。
【００８３】
前記実施形態に係る統合カート１は、患者の検診に関する情報だけでなく、患者の処置に関する情報を正確に管理することに寄与する。具体的に、統合カート１は、携帯型パソコンＰＣが載置されるナースカート２と、このナースカート２に着脱可能な処置カート３とを有する。そのため、前記統合カート１を押し運びながら患者の処置を行うことにより、病室において携帯型パソコンＰＣを用いて処置に関する情報を入力することができる。したがって、前記統合カート１によれば、患者の検診に関する情報だけでなく、患者の処置に関する情報を正確に管理することができる。
【００８４】
前記実施形態では、処置側後輪２０ａ、２０ｂ及び処置側前輪２１ａ、２１ｂのうち、処置側前輪２１ａ、２１ｂのみが床面に接触するように、ナースカート２と処置カート３とがロックされる。そのため、処置側後輪２０ａ、２０ｂ及び処置側前輪２１ａ、２１ｂの双方を床面に接触するように両カート２、３をロックする場合と比較して、床面に接触する車輪の数を低減することにより、走行抵抗を小さくすることができる。
【００８５】
しかも、前記実施形態では、処置側後輪２０ａ、２０ｂではなく処置側前輪２１ａ、２１ｂのみが床面に接触するように処置カート３がナースカート２の前部にロックされる。これにより、統合カート１全体としてみた場合、統合カート１は、後部に位置するナースカート２の車輪６ａ、６ｂ、７ａ、７ｂと、前部に位置する処置側前輪２１ａ、２１ｂとによって支持される。そのため、前記実施形態では、統合カート１が前後方向の広範囲にわたり支持されることにより、走行安定性も確保することができる。
【００８６】
前記実施形態では、ロック機構２３ｂにより処置カート３とナースカート２とをロックすることにより、処置カート３の後部を床面から浮かせることができる。つまり、前記実施形態では、処置カート３における荷重の一部をナースカート２に負担させることにより、処置側後輪２０ａ、２０ｂを浮かせて走行抵抗を低減することができる。
【００８７】
前記実施形態では、処置側後輪２０ａ、２０ｂの一部がナース側前輪７ａ、７ｂ間に配置された状態でナースカート２と処置カート３とがロックされる。これにより、側面視において処置カート３の後部とナースカート２に前部とを重ねることができるため、ナースカート２の前端部と処置カート３の後端部とをそのまま連結する場合と比較して統合カート１の前後長を短く抑えることができる。
【００８８】
さらに、前記実施形態では、各ナース側前輪７ａ、７ｂと各処置側前輪２１ａ、２１ｂとが同等の間隔Ｄ１で配置されている。そのため、上述のように各処置側後輪２０ａ、２０ｂを各ナース側前輪７ａ、７ｂ間に挿入しつつ、各ナース側前輪７ａ、７ｂ及び各処置側前輪２１ａ、２１ｂにより同じ左右範囲にわたり統合カート１を支持することにより、統合カート１の左右方向の走行安定性を確保することができる。
【００８９】
前記実施形態では、処置側天板３１が平面視において処置側後輪２０ａと処置側前輪２１ａとを結ぶ直線と、処置側後輪２０ｂと処置側前輪２１ｂとを結ぶ直線との間の範囲内に設けられている。そのため、処置側天板３１の左右の縁部に下向きの荷重が与えられた場合であっても、各処置側後輪２０ａ、２０ｂ又は各処置側前輪２１ａ、２１ｂを支点とする統合カート１の傾動を抑制することができる。
【符号の説明】
【００９０】
Ｅ    外部電源
ＰＣ    携帯型パソコン
１    統合カート
２    ナースカート
３    処置カート
４    カート本体
５    椅子
６ａ、６ｂ    ナース側後輪
７ａ、７ｂ    ナース側前輪
１１    トレイ（器具保持部の一例）
１２    バスケット（器具保持部の一例）
１４    ナース側天板（載置部の一例）
１４ｅ    電源収納部（電源保持部の一例）
１５    補助電源
１６ｂ    上板（接触部材の一例）
１７    第１脚部
１７ｂ    回動板
１８    座部
１９    第２脚部
２０ａ、２０ｂ    処置側後輪
２１ａ、２１ｂ    処置側前輪
２３ｂ    ロック機構
３０    処置用トレイ（処置用保持部の一例）
３１    処置側天板
３２    充電器
３３    バッテリ
３４    補助電源本体
３４ｃ    変圧部
３４ｄ〜３４ｆ    接続部
【図１】
0005824232.tif 000002
【図２】
0005824232.tif 000003
【図３】
0005824232.tif 000004
【図４】
0005824232.tif 000005
【図５】
0005824232.tif 000006
【図６】
0005824232.tif 000007
【図７】
0005824232.tif 000008
【図８】
0005824232.tif 000009
【図９】
0005824232.tif 000010
【図１０】
0005824232.tif 000011
【図１１】
0005824232.tif 000012
【図１２】
0005824232.tif 000013
【図１３】
0005824232.tif 000014